(57)【要約】【課題】優れた通気性と共に、踵部の復元性に優れる保形性短靴を提供する。【解決手段】踵部に、外側に膨出湾曲した月形被２を固着した短靴において、前記月形被２の左右方向に、二つの穴部３を穿設し、各穴部３間に形成された縦方向に延びる架橋部４に、縦方向に沿って縦ベルト５を固着した。また、月形被２の上端部に、横方向に沿って、前記縦ベルト５の上端部と交差する横ベルト６を固着する。縦ベルト５と横ベルト６の復元力によって、保形性を高める。【選択図】      図１
2009022637.tif 000002
【特許請求の範囲】
【請求項１】
踵部に、外側に膨出湾曲した月形被を固着した短靴において、
前記月形被の左右方向に、二つ以上の穴部を穿設し、各穴部間に形成された縦方向に延びる架橋部に、縦方向に沿って縦ベルトを固着したことを特徴とする保形性短靴。
【請求項２】
前記穴部を二つとし、それによって形成される一つの架橋部に縦ベルトを固着したことを特徴とする請求項１に記載の保形性短靴。
【請求項３】
前記穴部を三つとし、それによって形成される二つの架橋部にそれぞれ縦ベルトを固着したことを特徴とする請求項１に記載の保形性短靴。
【請求項４】
前記月形被の上端部に、横方向に沿って、前記縦ベルトの上端部と交差する横ベルトを固着したことを特徴とする請求項１乃至３のうちいずれか一つに記載の保形性短靴。
【請求項５】
踵部を有する短靴において、
履口部を形成する靴本体開口縁部の、少なくとも前記踵部を含む内側面に、
下片部に対して上片部が５°（度）〜１０°（度）の折曲げ角度で折り曲げられてなる略くの字状の保形片の前記下片部を、前記上片部を前記履口部の内側に向けて傾倒させるようにして固定したことを特徴とする保形性短靴。
【請求項６】
前記保形片の上片部の内側面に、上片部と下片部からなる新たな保形片の下片部を固着し、前記新たな保形片の上片部を、さらに前記履口部の内側に向けて傾倒させたことを特徴とする請求項５に記載の保形性短靴。
【請求項７】
踵部に、外側に膨出湾曲した月形被を固着した短靴において、
前記月形被の左右方向に、二つ以上の穴部を穿設し、各穴部間に形成された縦方向に延びる架橋部に、縦方向に沿って縦ベルトを固着するとともに、
前記月形被の上部内側面に固着された、履口部を形成する靴本体開口縁部の内側面に、
下片部に対して上片部が５°（度）〜１０°（度）の折曲げ角度で折り曲げられてなる略くの字状の保形片の前記下片部を、前記上片部を前記履口部の内側に向けて傾倒させるようにして固定したことを特徴とする保形性短靴。
【請求項８】
前記縦ベルトを上方に延長して延長片を形成し、その延長片の上端部を、前記月形被の上部内側面に固着された、履口部を形成する靴本体開口縁部の外側面に固着したことを特徴とする請求項１又は７に記載の保形性短靴。
【発明の詳細な説明】
【技術分野】
【０００１】
本発明は、優れた通気性と共に、踵部の高い復元性を備え、優れた保形性を発揮する短靴（足のくるぶしまでを覆う短い靴）に関するものである。
【背景技術】
【０００２】
通常、短靴の踵部には、保形性の観点から月形芯と称される芯材が埋設されている。
この月形芯はある程度の剛性を有するので、踵部の形状を長期にわたって保持するといった機能を発揮する。
【０００３】
しかし、例えば、立ったまま急いで短靴を履いた場合などにその踵部を踏んでしまい、月形芯を踏み潰してしまうことがある。その場合、月形芯はある程度の剛性を有する反面、復元力に欠けるので、一旦、踏み潰されてしまうと塑性変形してしまい、踵部の形状を壊してしまう。
【０００４】
こうした点に鑑み、本出願人は、月形芯を設けず、かつ、踵部に固着して設ける部材である月形被の中央部に穴部を設けた短靴を開発し、先に出願した（特許文献１参照）。
【特許文献１】特開２００３−５２４１０号公報（図１，図２）
【０００５】
この短靴は、月形被に穴部を設けたことによって、踵部を踏み潰しても、それによって塑性変形する部分が少ないので、踵部の復元性を高めることができるといった特長を有する。
また、穴部を設けたことによって、通気性に優れるといった特長もある。
【発明の開示】
【発明が解決しようとする課題】
【０００６】
しかしながら、上記した短靴は、月形被に穴部を設けたことによって踵部の復元性を高めることができたものの、より高品質の短靴を提供するために、優れた通気性を維持しつつ、踵部のさらなる復元性の向上が求められる。
【０００７】
そこで、本発明の目的とするところは、優れた通気性と共に、踵部の復元性により優れる保形性短靴を提供することにある。
【課題を解決するための手段】
【０００８】
上記の目的を達成するために、本発明の請求項１に記載の保形性短靴（１）は、踵部に、外側に膨出湾曲した月形被（２）を固着した短靴において、前記月形被（２）の左右方向に、二つ以上の穴部（３）を穿設し、各穴部（３）間に形成された縦方向に延びる架橋部（４）に、縦方向に沿って縦ベルト（５）を固着したことを特徴とする。
なお、ここで「固着」とは、縫製や接着などのあらゆる接合手段によって固定することを意味する（以下同じ）。
【０００９】
また、請求項２に記載の保形性短靴（１）は、前記穴部（３）を二つとし、それによって形成される一つの架橋部（４）に縦ベルト（５）を固着したことを特徴とする。
【００１０】
また、請求項３に記載の保形性短靴（１）は、前記穴部（３）を三つとし、それによって形成される二つの架橋部（４）にそれぞれ縦ベルト（５）を固着したことを特徴とする。
【００１１】
また、請求項４に記載の保形性短靴（１）は、前記月形被（２）の上端部に、横方向に沿って、前記縦ベルト（５）の上端部と交差する横ベルト（６）を固着したことを特徴とする。
【００１２】
請求項５に記載の保形性短靴（１）は、踵部を有する短靴において、履口部（８）を形成する靴本体開口縁部（９ａ）の、少なくとも前記踵部を含む内側面に、下片部（７ｂ）に対して上片部（７ａ）が５°（度）〜１０°（度）の折曲げ角度（θ）で折り曲げられてなる略くの字状の保形片（７）の前記下片部（７ｂ）を、前記上片部（７ａ）を前記履口部（８）の内側に向けて傾倒させるようにして固定したことを特徴とする。
【００１３】
また、請求項６に記載の保形性短靴（１）は、前記保形片（７）の上片部（７ａ）の内側面に、上片部（７ａ）と下片部（７ｂ）からなる新たな保形片（７）の下片部（７ｂ）を固着し、前記新たな保形片（７）の上片部（７ａ）を、さらに前記履口部（８）の内側に向けて傾倒させたことを特徴とする。
【００１４】
さらに、請求項７に記載の保形性短靴（１）は、踵部に、外側に膨出湾曲した月形被（２）を固着した短靴において、前記月形被（２）の左右方向に、二つ以上の穴部（３）を穿設し、各穴部（３）間に形成された縦方向に延びる架橋部（４）に、縦方向に沿って縦ベルト（５）を固着するとともに、前記月形被（２）の上部内側面に固着された、履口部（８）を形成する靴本体開口縁部（９ａ）の内側面に、下片部（７ｂ）に対して上片部（７ａ）が５°（度）〜１０°（度）の折曲げ角度で折り曲げられてなる略くの字状の保形片（７）の前記下片部（７ｂ）を、前記上片部（７ａ）を前記履口部（８）の内側に向けて傾倒させるようにして固定したことを特徴とする。
【００１５】
また、請求項８に記載の保形性短靴（１）は、前記縦ベルト（５）を上方に延長して延長片（５ａ）を形成し、その延長片（５ａ）の上端部を、前記月形被（２）の上部内側面に固着された、履口部（８）を形成する靴本体開口縁部（９ａ）の外側面に固着したことを特徴とする。
【００１６】
なお、カッコ内の記号は、図面および後述する発明を実施するための最良の形態に記載された対応要素または対応事項を示す。
【発明の効果】
【００１７】
本発明の請求項１に記載の保形性短靴によれば、踵部に、外側に膨出湾曲した月形被を設けた短靴において、月形被に二つ以上の穴部を左右に形成し、各穴部間の架橋部に、縦方向に沿って縦ベルトを設けたので、保形性に優れる。
【００１８】
すなわち、架橋部に縦ベルトを設けたので、例えば、踵部が踏まれることによって潰れても、架橋部の復元力に加えて、この縦ベルトが持つ復元力によって、月形被を原形に復帰させることができる。架橋部およびそこに固着した縦ベルトは、月形被が外側に膨出湾曲した形状であるため、それと同様の膨出湾曲形状を有しており、従って、撓んだ状態における復元力が強い。こうした、架橋部および縦ベルトの強い復元力により、踵部は潰れる前の形状に戻り、その形状を保持する。
【００１９】
また、踵部が潰されない場合でも、月形被は、架橋部に加え、縦ベルトの持つ剛性によってその形状を保持することができる。従って、長期にわたって原形をそのまま保つことができる。
【００２０】
なお、この保形性短靴は、月形被に二つ以上の穴部を形成しているので、この穴部から空気が自由に出入りでき、通気性に優れる。
【００２１】
また、請求項２に記載の保形性短靴によれば、請求項１に記載の発明の作用効果に加えて、穴部を二つとし、形成される一つの架橋部に縦ベルトを設けたので、縦ベルトの数を一つとすることができる。
従って、製造工程を簡素化して製造コストを軽減することができる。
【００２２】
また、請求項３に記載の保形性短靴によれば、請求項１に記載の発明の作用効果に加えて、穴部を三つとし、形成される二つの架橋部に縦ベルトを設けたので、この二つの縦ベルトによって、月形被に充分な復元力を与えることができる。
従って、より保形性に優れた製品を提供することができる。
【００２３】
また、請求項４に記載の保形性短靴によれば、請求項１乃至３に記載の発明の作用効果に加えて、月形被の上端部に、横方向に沿って、縦ベルトの上端部と交差する横ベルトを設けたので、この横ベルトによっても月形被に復元力を与えることができる。
【００２４】
すなわち、横ベルトは、月形被が外側に膨出湾曲した形状であるため、同様に膨出湾曲形状を成している。
従って、湾曲状体における復元力が強く、この復元力によって月形被を原形に復帰させることができる。この横ベルトの復元力を、縦ベルトの復元力に加えることよって、より優れた保形性を持たせることができる。
【００２５】
請求項５に記載の保形性短靴によれば、履口部を形成する靴本体開口縁部の、少なくとも踵部を含む内側面に、下片部に対して上片部が５°（度）〜１０°（度）の折曲げ角度で折り曲げられてなる略くの字状の保形片の前記下片部を、前記上片部を前記履口部の内側に向けて傾倒させるようにして固定したので、保形性に優れる。
【００２６】
すなわち、例えば、踵部が押し潰された場合、履き口部に固着され略くの字状に折曲げられた保形片は、その折曲ラインを中心として容易に屈曲するので、他の部分が折曲げられて塑性変形してしまうのを阻止する。
折曲ラインは、あらかじめ、いわゆる折り癖がつけられた部分であるため、復元力に富む。従って、押し潰され状態が解除された後、保形片は、折曲ラインを中心として原形に復帰し、履き口部を元の形状に戻す。これによって、保形性に優れた短靴を提供することができる。
【００２７】
また、折曲げ角度を５°（度）〜１０°（度）としているので、保形片の機能を良好なものとすることができる。なお、折曲げ角度が５°（度）より小さいと、押し潰された際に円滑に屈曲せず、また、１０°（度）より大きいと、復元し難い。
【００２８】
また、請求項６に記載の保形性短靴によれば、請求項５に記載の発明に加えて、保形片の上片部の内側面に、新たな保形片の下片部を固着し、その上片部を、さらに履き口部の内側に向けて傾倒させたので、二つの保形片の作用によって、保形性をさらに高めることができる。
【００２９】
さらに、請求項７に記載の保形性短靴によれば、請求項１に係る発明の作用効果と請求項５に係る発明の作用効果が同時に得られ、保形性及び通気性に優れる。
【００３０】
また、請求項８に記載の保形性短靴によれば、縦ベルトから延長した延長片の上端部を、履口部を形成する靴本体開口縁部の外側面に固着したので、縦ベルトの復元力は月形被を介して靴本体開口縁部に伝わるのに加え、延長片を介して直接、靴本体開口縁部に伝わるので、保形性をより向上させることができる。
【発明を実施するための最良の形態】
【００３１】
（第一実施形態）
図１乃至図３を参照して、本発明の第一実施形態に係る保形性短靴１について説明する。図１は、保形性短靴１を示す斜視図であり、図２はその背面図である。また、図３は、図１のＡ−Ａ線拡大断面図である。
【００３２】
本発明の第一実施形態に係る保形性短靴１は、図１，図２に示すように、靴本体（腰革）９の下端部に靴底１０を設けたものであり、その踵部に、外側に膨出湾曲した月形被２を固着した短靴である。月形被２はその上部内側面が、図３に示すように、靴本体（腰革）９の外側に固着されている。
【００３３】
また、月形被２には、左右方向に二つの穴部３を並べて穿設し、その穴部３の間に縦長に形成された縦方向に延びる架橋部４に、縦方向に沿って縦ベルト５を固着している。縦ベルト５は、架橋部４の外側面側に縫い合わせや接着剤などによって固着されている。
また、月形被２の上端部には、横方向に沿って、縦ベルト５の上端部と交差する横ベルト６を固着している。
【００３４】
なお、ここでは、この横ベルト６は、縦ベルト５の上に被せるように設けているが、その逆に、縦ベルト５を横ベルト６の上に被せるように配置しても良い。また、縦ベルト５と横ベルト６の材質は特に限定されず、例えば、革、布、ゴム、樹脂などの柔軟性および弾力性に富むものを使用することができる。
【００３５】
このように構成された本実施形態に係る保形性短靴１は、架橋部４に、縦方向に沿って縦ベルト５を設けているので、例えば、踵部が踏まれることによって潰れても、架橋部４の復元力に加えて、この縦ベルト５が持つ復元力によって、月形被２を元の形状に素早く復帰させることができる。また、踵部が潰されない場合でも、月形被２は、架橋部４に加え、縦ベルト５の持つ剛性によってその形状を保持することができる。
従って、長期にわたって原形をそのまま保つことができ、きわめて保形性に優れる。
【００３６】
また、この保形性短靴１は、月形被２に二つの穴部３を形成しているので、この穴部３から空気が自由に出入りでき、従って、通気性にも優れる。
【００３７】
また、月形被２の上端部に、横方向に沿って、縦ベルト５の上端部と交差する横ベルト６を設けているので、この横ベルト６によっても月形被２に復元力を与えることができる。これにより、さらに保形性を高めることができる。
【００３８】
なお、本実施形態では、月形被２に二つの穴部３を形成しているが、これに代えて、例えば、図４に示すように、月形被２の左右方向に三つの穴部３（またはそれ以上）を形成し、各穴部３の間に形成される二つの架橋部４のそれぞれに縦ベルト５を設けることができる。
この保形性短靴１は、二つの縦ベルト５によって、月形被２にさらに充分な復元力を与えることができるので、保形性をさらに高めることができる。
【００３９】
また、横ベルト６は、月形被２の上端部のみに設けているが、月形被２の下端部にも固着することができる。こうすることによって、月形被２にさらなる復元力を与えることができるので、さらに保形性を高めることができる。
【００４０】
さらに、図５に示すように、縦ベルト５を上方に延長して延長片５ａを形成し、その延長片５ａの上端部を、月形被２の上部内側面に固着された、履口部８を形成する靴本体開口縁部９ａの外側面に固着するようにしてもよい。
これによれば、縦ベルト５の復元力は月形被２を介して靴本体開口縁部９ａに伝わるのに加え、延長片５ａを介して直接、靴本体開口縁部９ａに伝わるので、保形性をより向上させることができる。
【００４１】
（第二実施形態）
次に図６乃至図８を参照して、本発明の第二実施形態に係る保形性短靴１について説明する。図６は、本発明の第二実施形態に係る保形性短靴１を示す要部斜視図であり、図７は、図６のＢ−Ｂ線拡大断面図である。また、図８は、保形片７の作用を示す説明図である。
【００４２】
本発明の第二実施形態に係る保形性短靴１は、踵部を有する短靴であり、履口部８を形成する靴本体９の開口縁部９ａの内側面に、踵部とその左右両側に連続して、断面が略くの字状に折り曲げられて上片部７ａと下片部７ｂを有する保形片７を、その下片部７ｂで固着し、上片部７ａを履口部８の内側に向けて傾倒させている。
また、その保形片７の上片部７ａの内側面に、新たな保形片７の下片部７ｂの外側面を固着し、その新たな保形片７の上片部７ａを、さらに履口部８の内側に傾倒させている。
【００４３】
二重に重ねられた二つの保形片７は、それぞれ、その中間高さ部分で、下片部７ｂに対して上片部７ａを５°（度）〜１０°（度）の折曲げ角度θで折り曲げている。折曲ラインＬより上方を上片部７ａとし、下方を下片部７ｂとしている。
【００４４】
このように構成された保形性短靴１においては、例えば、踵部が押し潰された場合、図８に示すように、履口部８に固着された保形片７が外側に向けて膨出しながら、その折曲ラインＬを中心として容易に屈曲し、押し潰し力を吸収するので、他の部分が折曲げられて塑性変形してしまうことがない。また、押し潰され状態が解除された後、保形片７は、折曲ラインＬを中心として原形に復帰し、履口部８を元の形状に戻す。従って、保形性に優れる。
【００４５】
なお、保形片７の折曲げ角度θを５°（度）〜１０°（度）に設定しているので、保形片７の機能を良好なものとすることができる。折曲げ角度θが５°（度）より小さいと、押し潰された際に円滑に屈曲せず、また、１０°（度）より大きいと、押し潰され状態が解除された後の復元力に欠けてしまう。
【００４６】
この保形性短靴１は、二つの保形片７を上下に連接した状態で設けているので、各保形片７のはたらきにより、保形性をさらに高めることができる。
なお、保形片７を一にした場合であったも十分保形性を有する。
【００４７】
また、この保形片７は、第一実施形態の穴部３を有する保形性短靴１に設けることもできるし、穴部３を持たない短靴に設けることもできる。
【図面の簡単な説明】
【００４８】
【図１】本発明の第一実施形態に係る保形性短靴を示す斜視図である。
【図２】図１に示す保形性短靴の背面図である。
【図３】図１のＡ−Ａ線拡大断面図である。
【図４】本発明の第一実施形態に係る別の保形性短靴を示す背面図である。
【図５】本発明の第一実施形態に係るさらに別の保形性短靴を示す断面図である。
【図６】本発明の第二実施形態に係る保形性短靴を示す要部斜視図である。
【図７】図６のＢ−Ｂ線拡大断面図である。
【図８】図７に示す保形片の作用を示す説明図である。
【符号の説明】
【００４９】
１        保形性短靴
２        月形被
３        穴部
４        架橋部
５        縦ベルト
５ａ      延長片
６        横ベルト
７        保形片
７ａ      上片部
７ｂ      下片部
８        履口部
９        靴本体（腰革）
９ａ      開口縁部
１０        靴底
θ        折曲げ角度
Ｌ        折曲ライン
【図１】
2009022637.tif 000003
【図２】
2009022637.tif 000004
【図３】
2009022637.tif 000005
【図４】
2009022637.tif 000006
【図５】
2009022637.tif 000007
【図６】
2009022637.tif 000008
【図７】
2009022637.tif 000009
【図８】
2009022637.tif 000010